(57)【要約】      （修正有）【課題】加入者が、契約した通信帯域でサービスを受けられなかった場合には、以降のサービス提供の際に、優先的に、契約した内容でのサービス提供が履行されるようにする。【解決手段】契約した加入者端末からその位置情報を含むアクセスを受信すると、前記加入者端末の位置している基地局のネットワーク負荷情報を移動通信網監視装置から取得し、取得したネットワーク負荷情報を基に前記加入者端末に割り当て可能な通信帯域を算出する。続いて、算出した通信帯域と前記加入者端末に該当する加入者の契約した通信帯域とを比較し、算出した通信帯域が契約した通信帯域を下回っている場合に優先度ポイントを生成して当該加入者端末について保有している優先度ポイントに加算する。前記加入者端末から前記優先割り当て通信帯域の使用を示す通知を受信すると前記移動通信網に対して前記加入者端末への前記優先割り当て通信帯域の割り当てを指示する。【選択図】図１
2008244923.tif 000002
【特許請求の範囲】
【請求項１】
移動通信網における基地局毎のネットワーク負荷情報を生成する機能を持つ移動通信網監視装置と、あらかじめ契約した複数の加入者の加入者端末について、少なくとも契約した通信帯域を管理する機能を持つ管理サーバとが前記移動通信網を介して接続されている移動通信システムにおける通信帯域優先制御方法であって、
契約した加入者端末からその位置情報を含むアクセスを受信すると、前記加入者端末の位置している基地局のネットワーク負荷情報を前記移動通信網監視装置から取得するステップと、
取得したネットワーク負荷情報を基に前記加入者端末に割り当て可能な通信帯域を算出するステップと、
算出した通信帯域と前記加入者端末に該当する加入者の契約した通信帯域とを比較し、算出した通信帯域が契約した通信帯域を下回っている場合に優先度ポイントを生成して当該加入者端末について保有している優先度ポイントに加算するステップと、
当該加入者端末について与えられている優先度ポイントに基づいて該優先度ポイントを使用した場合に割り当て可能な優先割り当て通信帯域を計算するステップと、
前記加入者端末に対して、前記算出した通信帯域と当該加入者端末に与えられている優先度ポイントと前記優先割り当て通信帯域とを送信して前記優先割り当て通信帯域の使用の有無を問い合わせるステップと、
前記加入者端末から前記優先割り当て通信帯域の使用を示す通知を受信すると前記移動通信網に対して前記加入者端末への前記優先割り当て通信帯域の割り当てを指示するステップと、
で実行されることを特徴とする移動通信システムにおける通信帯域優先制御方法。
【請求項２】
請求項１に記載の通信帯域優先制御方法において、
前記移動通信網から前記加入者端末への前記優先割り当て通信帯域の割り当て完了の通知を受信すると、当該加入者端末について使用した優先度ポイントを、当該加入者端末について保有している優先度ポイントから減算するステップと、
当該加入者端末に対して、前記優先割り当て通信帯域の割り当て完了の通知と減算後の優先度ポイントとを通知するステップと、
を実行することを特徴とする移動通信システムにおける通信帯域優先制御方法。
【請求項３】
請求項１又は２に記載の通信帯域優先制御方法において、
前記算出した通信帯域が前記契約した通信帯域を上回っている場合には、前記移動通信網に対して、前記加入者端末への前記算出した通信帯域の割り当てを指示するステップを実行することを特徴とする移動通信システムにおける通信帯域優先制御方法。
【請求項４】
請求項１〜３のいずれか１項に記載の通信帯域優先制御方法において、
前記優先度ポイントの生成に際し、前記加入者端末の現在位置が考慮されることを特徴とする移動通信システムにおける通信帯域優先制御方法。
【請求項５】
請求項１〜４のいずれか１項に記載の通信帯域優先制御方法において、
該移動通信システムは更に、すべての加入者の加入者端末間で優先度ポイントの譲渡を仲介する優先度取引サーバを有し、
前記加入者端末に対して、前記算出した通信帯域と当該加入者端末に与えられている優先度ポイントと前記優先割り当て通信帯域とを送信して前記優先割り当て通信帯域の使用の有無を問い合わせるステップにおいて、前記優先度ポイントを譲渡する意思の有無を問い合わせるステップを実行し、
前記加入者端末から前記優先度ポイントの譲渡を示す通知を受信すると譲渡される優先度ポイントを当該加入者端末について保有している優先度ポイントから減算するステップと、
前記優先度取引サーバに対して前記譲渡される優先度ポイントを通知するステップと、
前記管理サーバから前記譲渡される優先度ポイントの通知を受けると、すべての加入者の加入者端末に対して、譲渡される優先度ポイントがあることを通知するステップと、
１つ以上の加入者端末から前記優先度ポイントの取得を希望する通知を受けると、前記１つ以上の加入者端末から１つの加入者端末を選んで前記優先度ポイントを落札する加入者端末を決定し、決定した加入者端末に対して落札を通知するとともに、前記管理サーバに対して落札した加入者端末を通知するステップと、
前記優先度取引サーバから前記落札した加入者端末の通知を受けると、当該落札した加入者端末について保有している優先度ポイントに落札した優先度ポイントを加算するとともに、加算した優先度ポイントを前記落札した加入者端末に通知するステップを実行することを特徴とする移動通信システムにおける通信帯域優先制御方法。
【請求項６】
移動通信網における基地局毎のネットワーク負荷情報を生成する機能を持つ移動通信網監視装置と、あらかじめ契約した複数の加入者の加入者端末について、少なくとも契約した通信帯域を管理する機能を持つ管理サーバとが前記移動通信網を介して接続されている移動通信システムであって、
前記管理サーバは、
契約した加入者端末からその位置情報を含むアクセスがあると、前記加入者端末の位置している基地局のネットワーク負荷情報を前記移動通信網監視装置から取得するステップと、
取得したネットワーク負荷情報を基に前記加入者端末に割り当て可能な通信帯域を算出するステップと、
算出した通信帯域と前記加入者端末に該当する加入者の契約した通信帯域とを比較し、算出した通信帯域が契約した通信帯域を下回っている場合に優先度ポイントを生成して当該加入者端末について保有している優先度ポイントに加算するステップと、
当該加入者端末について与えられている優先度ポイントに基づいて該優先度ポイントを使用した場合に割り当て可能な優先割り当て通信帯域を計算するステップと、
前記加入者端末に対して、前記算出した通信帯域と当該加入者端末に与えられている優先度ポイントと前記優先割り当て通信帯域とを送信して前記優先割り当て通信帯域の使用の有無を問い合わせるステップと、
前記加入者端末から前記優先割り当て通信帯域の使用を示す通知を受信すると前記移動通信網に対して前記加入者端末への前記優先割り当て通信帯域の割り当てを指示するステップと、
を実行する機能を有することを特徴とする移動通信システム。
【請求項７】
請求項６に記載の移動通信システムにおいて、
前記管理サーバは更に、
前記移動通信網から前記加入者端末への前記優先割り当て通信帯域の割り当て完了の通知を受信すると、当該加入者端末について使用した優先度ポイントを、当該加入者端末について保有している優先度ポイントから減算するステップと、
当該加入者端末に対して、前記優先割り当て通信帯域の割り当て完了の通知と減算後の優先度ポイントとを通知するステップと、
を実行する機能を有することを特徴とする移動通信システム。
【請求項８】
請求項６又は７に記載の移動通信システムにおいて、
前記管理サーバは更に、
前記算出した通信帯域が前記契約した通信帯域を上回っている場合には、前記移動通信網に対して、前記加入者端末への前記算出した通信帯域の割り当てを指示するステップを実行する機能を有することを特徴とする移動通信システム。
【請求項９】
請求項６〜８のいずれか１項に記載の移動通信システムにおいて、
前記管理サーバは、前記加入者端末の現在位置を考慮して前記優先度ポイントの生成を行うかどうかを決定することを特徴とする移動通信システム。
【請求項１０】
請求項６〜９のいずれか１項に記載の移動通信システムにおいて、
該移動通信システムは更に、すべての加入者の加入者端末間で優先度ポイントの譲渡を仲介する優先度取引サーバを有し、
前記管理サーバは、
前記加入者端末に対して、前記算出した通信帯域と当該加入者端末に与えられている優先度ポイントと前記優先割り当て通信帯域とを送信して前記優先割り当て通信帯域の使用の有無を問い合わせるステップにおいて、前記優先度ポイントを譲渡する意思の有無を問い合わせるステップを実行し、
前記管理サーバは更に、
前記加入者端末から前記優先度ポイントの譲渡を示す通知を受信すると譲渡される優先度ポイントを当該加入者端末について保有している優先度ポイントから減算するステップと、
前記優先度取引サーバに対して前記譲渡される優先度ポイントを通知するステップとを実行する機能を有し、
前記優先度取引サーバは、
前記管理サーバから前記譲渡される優先度ポイントの通知を受けると、すべての加入者の加入者端末に対して、譲渡される優先度ポイントがあることを通知するステップと、
１つ以上の加入者端末から前記優先度ポイントの取得を希望する通知を受けると、前記１つ以上の加入者端末から１つの加入者端末を選んで前記優先度ポイントを落札する加入者端末を決定し、決定した加入者端末に対して落札を通知するとともに、前記管理サーバに対して落札した加入者端末を通知するステップとを実行する機能を有し、
前記管理サーバは更に、
前記優先度取引サーバから前記落札した加入者端末の通知を受けると、当該落札した加入者端末について保有している優先度ポイントに落札した優先度ポイントを加算するとともに、加算した優先度ポイントを前記落札した加入者端末に通知するステップを実行する機能を有することを特徴とする移動通信システム。
【請求項１１】
移動通信網における基地局毎のネットワーク負荷情報を生成する機能を持つ移動通信網監視装置と前記移動通信網を介して接続され、あらかじめ契約した複数の加入者の加入者端末について、少なくとも契約した通信帯域を管理する機能を持つ、移動通信システム用の管理サーバであって、
前記管理サーバは、
契約した加入者端末からその位置情報を含むアクセスがあると、前記加入者端末の位置している基地局のネットワーク負荷情報を前記移動通信網監視装置から取得するステップと、
取得したネットワーク負荷情報を基に前記加入者端末に割り当て可能な通信帯域を算出するステップと、
算出した通信帯域と前記加入者端末に該当する加入者の契約した通信帯域とを比較し、算出した通信帯域が契約した通信帯域を下回っている場合に優先度ポイントを生成して当該加入者端末について保有している優先度ポイントに加算するステップと、
当該加入者端末について与えられている優先度ポイントに基づいて該優先度ポイントを使用した場合に割り当て可能な優先割り当て通信帯域を計算するステップと、
前記加入者端末に対して、前記算出した通信帯域と当該加入者端末に与えられている優先度ポイントと前記優先割り当て通信帯域とを送信して前記優先割り当て通信帯域の使用の有無を問い合わせるステップと、
前記加入者端末から前記優先割り当て通信帯域の使用を示す通知を受信すると前記移動通信網に対して前記加入者端末への前記優先割り当て通信帯域の割り当てを指示するステップと、
を実行する機能を有することを特徴とする管理サーバ。
【請求項１２】
請求項１１に記載の管理サーバにおいて、
更に、前記移動通信網から前記加入者端末への前記優先割り当て通信帯域の割り当て完了の通知を受信すると、当該加入者端末について使用した優先度ポイントを、当該加入者端末について保有している優先度ポイントから減算するステップと、
当該加入者端末に対して、前記優先割り当て通信帯域の割り当て完了の通知と減算後の優先度ポイントとを通知するステップと、
を実行する機能を有することを特徴とする管理サーバ。
【請求項１３】
請求項１１又は１２に記載の管理サーバにおいて、
更に、前記算出した通信帯域が前記契約した通信帯域を上回っている場合には、前記移動通信網に対して、前記加入者端末への前記算出した通信帯域の割り当てを指示するステップを実行する機能を有することを特徴とする管理サーバ。
【請求項１４】
請求項１１〜１３のいずれか１項に記載の管理サーバにおいて、
該管理サーバは、前記加入者端末の現在位置を考慮して前記優先度ポイントの生成を行うかどうかを決定することを特徴とする管理サーバ。
【発明の詳細な説明】
【技術分野】
【０００１】
本発明は移動通信システムに関し、特に移動通信網事業者が、契約した加入者に対してサービスを提供するために通信帯域を割り当てる際に、過去の通信品質を考慮して通信帯域に関する優先割り当てを行うことができるようにした移動通信システム及び通信帯域優先制御方法に関する。
【背景技術】
【０００２】
従来の移動通信システムにおいては、システムを通して提供しようとするサービスごとに通信品質が規定されており、その通信品質に応じて通信帯域の優先度が決まっていた。加入者は、提供されるサービスに対して移動通信網事業者と契約を結ぶ。契約内容には通信品質（通信帯域）が含まれる。契約した加入者にサービスを提供する際、移動通信網側はネットワークの負荷状況を考慮して通信帯域の割り当てを実施し加入者へサービス提供を行っていた。
【０００３】
しかしながら、従来のこの種の移動通信システムでは、加入者がこれまでに、契約した通信品質でサービスの提供を受けられていたかどうかは考慮されない。そのため、加入者によっては、契約したサービスが想定していた通信品質で受けられない可能性があるという問題があった。つまり、加入者は実際の電波環境や通信網の負荷状況に応じた通信帯域しか割り当てられず、加入者が想定する通信帯域を満たさない場合が生じるという問題があった。
【０００４】
なお、この種の移動通信システムに関連する技術として、例えば特許文献１には、ユーザーとの契約内容に応じた通信帯域の割り当てを行うことができる無線配信サービスが開示されている。この無線配信サービスでは、ユーザーが、帯域要求を伴ってサービスを提供する端末に接続する。すると、この端末はサーバに対してユーザーの契約内容を問い合わせて、要求された帯域と契約内容とを比較し、契約内容に応じた帯域を要求しているかどうかを判定する。契約を提供する端末は、要求帯域が契約内容の範囲内であれば要求帯域を割り当て、要求帯域が契約内容の範囲外であれば契約内容に応じた帯域に変更して割り当てを行う。
【０００５】
一方、特許文献２には、通信環境の変化に応じてコンテンツを受信するデータ通信帯域を変化させて再設定し、コンテンツの取得を効率的に行うことのできる車両用情報通信システムが開示されている。この車両用情報通信システムでは、実効通信速度予測装置で予測算出した実効通信速度に基づいて、各コンテンツのデータ通信帯域の割り当てを、データ通信帯域算出装置において通信環境の変化に応じて変化させて再設定するようにしている。
【０００６】
また、特許文献３には、個々の通信の内容に応じた適切な優先度を求め、その優先度に応じた個々の通信の品質制御を行う通信制御装置が開示されている。この通信制御装置においては、優先度計算手段が、クライアント装置間での通信の通信形態（会議、講演等）及び通信に参加する利用者の属性（役職等）に基づいて、優先度計算規則に従って優先度を算出する。一方、帯域計算手段は、算出された優先度に基づいて、その優先度の通信に割り当てる通信帯域を帯域計算規則に従って算出する。
【０００７】
【特許文献１】特開２００５−２５２９８８号公報
【特許文献２】特開２００４−２４７９２４号公報
【特許文献３】特開２００６−３２４９８６号公報
【発明の開示】
【発明が解決しようとする課題】
【０００８】
上記特許文献１〜３のいずれにおいても、実際の通信において、通信帯域に関して契約した内容のサービスを受けられなかった場合にどうするかというような点については考慮されていない。
【０００９】
そこで本発明は、加入者が、契約した内容、特に契約した通信帯域でサービスを受けられなかった場合には、以降のサービス提供の際に、優先的に、契約した内容でのサービス提供が履行されるようにすることのできる通信帯域優先制御方法を提供することを課題とする。
【００１０】
本発明はまた、上記の通信帯域優先制御方法に適した移動通信システムを提供することを課題とする。
【課題を解決するための手段】
【００１１】
本発明によれば、移動通信網における基地局毎のネットワーク負荷情報を生成する機能を持つ移動通信網監視装置と、あらかじめ契約した複数の加入者の加入者端末について、少なくとも契約した通信帯域を管理する機能を持つ管理サーバとが前記移動通信網を介して接続されている移動通信システムにおける通信帯域優先制御方法であって、契約した加入者端末からその位置情報を含むアクセスを受信すると、前記加入者端末の位置している基地局のネットワーク負荷情報を前記移動通信網監視装置から取得するステップと、取得したネットワーク負荷情報を基に前記加入者端末に割り当て可能な通信帯域を算出するステップと、算出した通信帯域と前記加入者端末に該当する加入者の契約した通信帯域とを比較し、算出した通信帯域が契約した通信帯域を下回っている場合に優先度ポイントを生成して当該加入者端末について保有している優先度ポイントに加算するステップと、当該加入者端末について与えられている優先度ポイントに基づいて該優先度ポイントを使用した場合に割り当て可能な優先割り当て通信帯域を計算するステップと、前記加入者端末に対して、前記算出した通信帯域と当該加入者端末に与えられている優先度ポイントと前記優先割り当て通信帯域とを送信して前記優先割り当て通信帯域の使用の有無を問い合わせるステップと、前記加入者端末から前記優先割り当て通信帯域の使用を示す通知を受信すると前記移動通信網に対して前記加入者端末への前記優先割り当て通信帯域の割り当てを指示するステップとで実行されることを特徴とする移動通信システムにおける通信帯域優先制御方法が提供される。
【００１２】
本通信帯域優先制御方法においては、更に、前記移動通信網から前記加入者端末への前記優先割り当て通信帯域の割り当て完了の通知を受信すると、当該加入者端末について使用した優先度ポイントを、当該加入者端末について保有している優先度ポイントから減算するステップと、当該加入者端末に対して、前記優先割り当て通信帯域の割り当て完了の通知と減算後の優先度ポイントとを通知するステップとが実行されても良い。
【００１３】
本通信帯域優先制御方法においては、前記算出した通信帯域が前記契約した通信帯域を上回っている場合には、前記移動通信網に対して、前記加入者端末への前記算出した通信帯域の割り当てを指示するステップが実行される。
【００１４】
本通信帯域優先制御方法においては、前記優先度ポイントの生成に際し、前記加入者端末の現在位置が考慮されることが好ましい。
【００１５】
本通信帯域優先制御方法においては、該移動通信システムが更に、すべての加入者の加入者端末間で優先度ポイントの譲渡を仲介する優先度取引サーバを有していても良い。この場合、前記加入者端末に対して、前記算出した通信帯域と当該加入者端末に与えられている優先度ポイントと前記優先割り当て通信帯域とを送信して前記優先割り当て通信帯域の使用の有無を問い合わせるステップにおいて、前記優先度ポイントを譲渡する意思の有無を問い合わせるステップが実行される。続いて、前記加入者端末から前記優先度ポイントの譲渡を示す通知を受信すると譲渡される優先度ポイントを当該加入者端末について保有している優先度ポイントから減算するステップと、前記優先度取引サーバに対して前記譲渡される優先度ポイントを通知するステップと、前記管理サーバから前記譲渡される優先度ポイントの通知を受けると、すべての加入者の加入者端末に対して、譲渡される優先度ポイントがあることを通知するステップと、１つ以上の加入者端末から前記優先度ポイントの取得を希望する通知を受けると、前記１つ以上の加入者端末から１つの加入者端末を選んで前記優先度ポイントを落札する加入者端末を決定し、決定した加入者端末に対して落札を通知するとともに、前記管理サーバに対して落札した加入者端末を通知するステップと、前記優先度取引サーバから前記落札した加入者端末の通知を受けると、当該落札した加入者端末について保有している優先度ポイントに落札した優先度ポイントを加算するとともに、加算した優先度ポイントを前記落札した加入者端末に通知するステップとが実行される。
【００１６】
本発明によればまた、移動通信網における基地局毎のネットワーク負荷情報を生成する機能を持つ移動通信網監視装置と、あらかじめ契約した複数の加入者の加入者端末について、少なくとも契約した通信帯域を管理する機能を持つ管理サーバとが前記移動通信網を介して接続されている移動通信システムが提供される。本移動通信システムにおいては、前記管理サーバは、契約した加入者端末からその位置情報を含むアクセスがあると、前記加入者端末の位置している基地局のネットワーク負荷情報を前記移動通信網監視装置から取得するステップと、取得したネットワーク負荷情報を基に前記加入者端末に割り当て可能な通信帯域を算出するステップと、算出した通信帯域と前記加入者端末に該当する加入者の契約した通信帯域とを比較し、算出した通信帯域が契約した通信帯域を下回っている場合に優先度ポイントを生成して当該加入者端末について保有している優先度ポイントに加算するステップと、当該加入者端末について与えられている優先度ポイントに基づいて該優先度ポイントを使用した場合に割り当て可能な優先割り当て通信帯域を計算するステップと、前記加入者端末に対して、前記算出した通信帯域と当該加入者端末に与えられている優先度ポイントと前記優先割り当て通信帯域とを送信して前記優先割り当て通信帯域の使用の有無を問い合わせるステップと、前記加入者端末から前記優先割り当て通信帯域の使用を示す通知を受信すると前記移動通信網に対して前記加入者端末への前記優先割り当て通信帯域の割り当てを指示するステップとを実行する機能を有する。
【００１７】
前記管理サーバは更に、前記移動通信網から前記加入者端末への前記優先割り当て通信帯域の割り当て完了の通知を受信すると、当該加入者端末について使用した優先度ポイントを、当該加入者端末について保有している優先度ポイントから減算するステップと、当該加入者端末に対して、前記優先割り当て通信帯域の割り当て完了の通知と減算後の優先度ポイントとを通知するステップとを実行する機能を有することが望ましい。
【００１８】
前記管理サーバは更に、前記算出した通信帯域が前記契約した通信帯域を上回っている場合には、前記移動通信網に対して、前記加入者端末への前記算出した通信帯域の割り当てを指示するステップを実行する。
【００１９】
前記管理サーバは、前記加入者端末の現在位置を考慮して前記優先度ポイントの生成を行うかどうかを決定することが好ましい。
【００２０】
本移動通信システムは更に、すべての加入者の加入者端末間で優先度ポイントの譲渡を仲介する優先度取引サーバを有していても良い。この場合、前記管理サーバは、前記加入者端末に対して、前記算出した通信帯域と当該加入者端末に与えられている優先度ポイントと前記優先割り当て通信帯域とを送信して前記優先割り当て通信帯域の使用の有無を問い合わせるステップにおいて、前記優先度ポイントを譲渡する意思の有無を問い合わせるステップを実行する。そして、前記管理サーバは更に、前記加入者端末から前記優先度ポイントの譲渡を示す通知を受信すると譲渡される優先度ポイントを当該加入者端末について保有している優先度ポイントから減算するステップと、前記優先度取引サーバに対して前記譲渡される優先度ポイントを通知するステップとを実行する機能を有する。一方、前記優先度取引サーバは、前記管理サーバから前記譲渡される優先度ポイントの通知を受けると、すべての加入者の加入者端末に対して、譲渡される優先度ポイントがあることを通知するステップと、１つ以上の加入者端末から前記優先度ポイントの取得を希望する通知を受けると、前記１つ以上の加入者端末から１つの加入者端末を選んで前記優先度ポイントを落札する加入者端末を決定し、決定した加入者端末に対して落札を通知するとともに、前記管理サーバに対して落札した加入者端末を通知するステップとを実行する機能を有する。前記管理サーバは更に、前記優先度取引サーバから前記落札した加入者端末の通知を受けると、当該落札した加入者端末について保有している優先度ポイントに落札した優先度ポイントを加算するとともに、加算した優先度ポイントを前記落札した加入者端末に通知するステップを実行する機能を有する。
【発明の効果】
【００２１】
本発明によれば、加入者が、移動通信網事業者との契約で規定した通信帯域（通信速度）を満たさない通信帯域しか移動通信網より提供されなかった場合、当該加入者に対して優先度ポイントが付与され、移動通信網は次回以降の通信時に、当該加入者に対してその優先度ポイントを考慮したうえで優先的に、契約した通信帯域での通信を提供することができる。
【発明を実施するための最良の形態】
【００２２】
［第１の実施形態］
図１を参照して、本発明による移動通信システムの第１の実施形態について説明する。
【００２３】
図１を参照すると、第１の実施形態による移動通信システムは、通信帯域管理サーバ２０と移動通信網監視装置３０とを有し、加入者端末１０と、通信帯域管理サーバ２０と、移動通信網監視装置３０は移動通信網４０を介して相互に接続されている。
【００２４】
加入者端末１０は、例えば携帯電話端末であり、ＧＰＳ（Ｇｌｏｂａｌ  Ｐｏｓｉｔｉｏｎｉｎｇ  Ｓｙｓｔｅｍ）装置１１を内蔵している。ＧＰＳ装置１１は加入者端末１０の現在位置を計算し、加入者端末１０へ位置情報を出力する機能を有する。加入者端末１０は、無線情報と、ＧＰＳ装置１１から受け取った位置情報を、通信帯域管理サーバ２０へ送信する機能を有する。無線情報としては、加入者端末１０が測定した、移動通信網４０が送信している共通パイロットチャネルの受信電界強度及び品質の情報を含む。また、加入者端末１０は、通信帯域管理サーバ２０より提供される、通信帯域情報及び優先通信帯域情報を表示する機能（ディスプレイ）を備えている。
【００２５】
通信帯域情報は、移動通信網４０において現在提供可能として計算された通信帯域を含み、これは現在のネットワーク負荷情報と加入者端末より受信した無線情報から計算される。優先通信帯域情報としては、加入者に付与されているポイント化された優先度ポイント情報と、優先度ポイントを使用した場合に提供されると想定される通信帯域の情報を含む。
【００２６】
また、加入者端末１０は、加入者の操作により、優先度ポイント使用の有無を、移動通信網４０を介して通信帯域管理サーバ２０へ送信する機能を有するほか、優先度ポイントを譲渡する意思の有無を、移動通信網４０を介して通信帯域管理サーバ２０へ送信する機能を有する。加入者端末１０はまた、優先度ポイントの使用を通信帯域管理サーバ２０へ通知した際に、通信帯域管理サーバ２０より通信帯域の優先割り当てが許可されたと通知された場合、優先割り当てが許可されたことをディスプレイ上で表示し、加入者に対して優先割り当てが実施されたことを通知する機能を有する。
【００２７】
通信帯域管理サーバ２０は、移動通信網４０側に設置されているワークステーション・サーバ等の情報処理装置で実現される。通信帯域管理サーバ２０は、加入者端末１０が送信した無線情報、位置情報及び優先度ポイント使用の有無・譲渡意思の有無を示す情報を受信する機能を有する。
【００２８】
また通信帯域管理サーバ２０は、加入者端末１０より通知された無線情報、位置情報、優先度ポイント使用の有無を示す情報及び移動通信網監視装置３０より通知された移動通信網４０におけるネットワーク負荷情報を基に、加入者端末１０に割り当て可能であると想定される通信帯域を計算し、また、加入者が優先度ポイントの使用を選択した場合に割り当てが想定される通信帯域（優先割り当て通信帯域）を計算する機能を有する。通信帯域管理サーバ２０は、前記で計算した、現在のネットワーク状況下で加入者端末１０に割り当て可能であると想定される通信帯域と、加入者と移動通信網事業者間で契約した通信帯域とを比較する機能を有し、現在のネットワーク状況下で提供可能な通信帯域が、契約した通信帯域よりも大きく下回る（ある一定のしきい値以上下回る）場合、優先度ポイントを生成する機能を有する。
【００２９】
通信帯域管理サーバ２０は、上記の計算機能により計算された結果を割り当て可能帯域情報として生成し、加入者端末１０へ送信する機能を有する。また、通信帯域管理サーバ２０は、加入者端末１０より優先度ポイントの使用を通知された場合、移動通信網４０へ加入者への優先的な通信帯域の割り当てを指示する指示情報を生成し、移動通信網４０へ送信する機能を有する。
【００３０】
通信帯域管理サーバ２０は、加入者と移動通信網事業者との間で契約された通信帯域及び加入者が所有している、通信帯域の優先度ポイントを管理する機能を有する。この優先度ポイントの情報は、１回の手順で付与されたポイント数、通算のポイント数、付与された加入者と付与した日時を含む。移動通信網事業者は付与された優先度ポイントの有効期限と累積した優先度ポイントの上限値の設定が可能であり、優先度ポイントの際限無い付与を防ぐことが可能となっている。また累積した優先度ポイントは、加入者への課金割引へ適用可能となっている。
【００３１】
移動通信網監視装置３０は、移動通信網４０側に設置されているワークステーション・サーバ等の情報処理装置で実現され、通信帯域管理サーバ２０からの要求に応じて、加入者端末１０が位置している基地局のネットワーク負荷情報を生成し、通信帯域管理サーバ２０へ送信する機能を有する。
【００３２】
［動作の説明］
次に、図２のフローチャートを参照して本移動通信システムにより実現される通信帯域優先制御方法にかかる動作について詳細に説明する。以降で参照される加入者は、すべて移動通信網事業者と契約済みであるものとする。
【００３３】
加入者は加入者端末１０より、通信帯域管理サーバ２０へアクセスする（ステップＡ１）。続いて加入者端末１０より、現在の加入者位置情報及び、現在位置で移動通信網４０より受信している共通パイロットチャネルの受信電界強度と品質等の無線情報を送信する（ステップＡ２）。
【００３４】
これに応答して、通信帯域管理サーバ２０は、移動通信網４０内のネットワーク負荷状況を管理している移動通信網監視装置３０へアクセスし、加入者が現在接続している基地局でのネットワーク負荷情報を要求する（ステップＡ３）。
【００３５】
移動通信網監視装置３０はこの要求に応答して現在のネットワーク負荷情報を通信帯域管理サーバ２０へ送信する（ステップＡ４）。
【００３６】
通信帯域管理サーバ２０は、まず移動通信網監視装置３０より入手したネットワーク負荷情報を基に、想定される通信帯域を、現在割り当て可能な通信帯域として計算する。通信帯域管理サーバ２０は、計算結果と、通信帯域管理サーバ２０で管理していた、加入者と移動通信網事業者との間で契約した通信帯域とを比較する（ステップＡ５）。計算された通信帯域が、契約した通信帯域を一定しきい値以上下回っている場合には、通信帯域管理サーバ２０は優先度ポイントを生成し、加入者端末１０の加入者へ付与する。ここで、現在の加入者位置（例えば移動通信網事業者が想定しているサービスエリア外の位置）によっては、想定される通信帯域、つまり割り当て可能な通信帯域が契約した通信帯域よりも低下することがやむを得ない場合があるため、通信帯域管理サーバ２０は、加入者の現在位置を考慮して、優先度ポイントを生成し、加入者へ付与する（ステップＡ６）。言い換えれば、割り当て可能な通信帯域が契約した通信帯域よりも低下することがやむを得ない場合には、優先度ポイントは生成されない。
【００３７】
生成された優先度ポイントは、通信帯域管理サーバ２０で管理していた加入者の優先度ポイントに加算される。ついで通信帯域管理サーバ２０は、優先度ポイントを使用した場合に、割り当て可能な通信帯域を計算する（ステップＡ７）。
【００３８】
通信帯域管理サーバ２０は、前記動作により計算された通信帯域、加入者が所有している優先度ポイント、前記動作により計算された優先度ポイントを使用した場合の通信帯域を、加入者端末１０へ送信する（ステップＡ８）。
【００３９】
加入者端末１０は、前記動作で通信帯域管理サーバ２０より受信した通信帯域情報及び優先度ポイント情報をディスプレイに表示する（ステップＡ９）。
【００４０】
加入者は表示された情報を参照し、ディスプレイ上で優先度ポイント使用の有無を選択する（ステップＡ１０）。加入者端末１０のディスプレイでは、常に優先度ポイントを使用するかどうかを選択することが可能となっており、常に優先度ポイントを使用すると選択されている場合には、前記通信帯域情報及び優先度ポイント情報を表示させないことが可能である。この場合、ステップＡ９及びステップＡ１０は省略可能である。加入者端末１０は、優先度ポイントを使用するかどうかを示す優先度ポイント使用情報を通信帯域管理サーバ２０へ送信する（ステップＡ１１）。
【００４１】
通信帯域管理サーバ２０は、加入者端末１０より受信した優先度ポイント使用情報に基づいて、優先度ポイント使用が指示された場合には、移動通信網４０に対して当該加入者への通信帯域の優先割り当てを指示し、ステップＡ７で計算した、優先度ポイントを使用した場合の通信帯域を帯域割り当て量として送信する（ステップＡ１２）。
【００４２】
移動通信網４０は、通信帯域管理サーバ２０より受信した優先割り当て指示に基づいて加入者端末１０への優先的な通信帯域割り当てを実施する（ステップＡ１３）。通信帯域割り当て完了後、移動通信網４０は通信帯域管理サーバ２０へ帯域割り当ての完了と、割り当てられた通信帯域を通知する（ステップＡ１４）。
【００４３】
移動通信網４０より帯域割り当ての完了を通知されると、通信帯域管理サーバ２０は、割り当てられた通信帯域に基づいて、加入者が所有している優先度ポイントを減算する（ステップＡ１５）。通信帯域管理サーバ２０はまた、残った優先度ポイントと、優先帯域割り当ての完了とを加入者端末１０へ通知する（ステップＡ１６）。
【００４４】
優先度ポイントを使用して優先的に通信帯域が割り当てられた場合には、加入者端末１０のディスプレイ上には優先帯域割り当てが行われたことを表示する（たとえば丸の中に優の文字を表示する）（ステップＡ１７）。
【００４５】
なお、ステップＡ５において、計算された通信帯域が、契約した通信帯域を一定しきい値以上下回っていない場合には、通信帯域管理サーバ２０は優先度ポイントを生成せずに、計算された通信帯域を移動通信網４０に送信する。移動通信網４０は受信した通信帯域に基づいて通信帯域割り当てを実施する。
【００４６】
以上のような動作により、加入者が、移動通信網事業者との契約で規定した通信帯域（通信速度）を満たさない通信帯域しか移動通信網より提供されなかった場合、当該加入者に対して優先度ポイントが付与され、移動通信網は次回以降の通信時に、当該加入者に対してその優先度ポイントを考慮したうえで優先的に、契約した通信帯域での通信を提供することができる。これによって、加入者は、移動通信網事業者と契約した通信帯域、つまり通信速度に近い通信速度での通信が可能となる。その理由は加入者に対して優先的な帯域割り当てが可能になるためである。
【００４７】
一方、移動通信網事業者にとっては、上記加入者の顧客満足度の向上を図ることが出来る。また優先度ポイントを付与した場所の情報も得られることから、今後のネットワーク改善が望まれるエリア情報を入手することができ、今後の移動通信網の増設に際しての情報として利用することが可能となる。
【００４８】
［第２の実施形態］
次に、本発明の第２の実施形態について説明する。第２の実施形態においては、加入者が加入者端末のディスプレイ上で優先度ポイント使用の有無を選択する際、優先度ポイントの譲渡を行うことができるようにした点で、第１の実施形態と異なる。このために、移動通信システムは、図１に示した構成のほかに、図３に示すように優先度取引サーバ５０を有する。
【００４９】
図４のフローチャートを参照して第２の実施形態の動作について説明する。加入者端末１０が通信帯域管理サーバ２０にアクセスするステップＢ１から、通信帯域管理サーバ２０より受信した通信帯域情報及び優先度ポイント情報をディスプレイに表示するステップＢ９までの動作ステップＢ１〜Ｂ９は、第１の実施形態におけるステップＡ１〜Ａ９と１対１に対応するので説明は省略する。
【００５０】
加入者は、加入者端末１０のディスプレイ上に優先度ポイント使用の有無の選択の他に、優先度ポイント譲渡の選択も表示されることにより、優先度ポイントの譲渡を選択することが可能である（ステップＢ１０）。優先度ポイントの譲渡が選択された場合、加入者端末１０は優先度ポイントの譲渡を通信帯域管理サーバ２０へ通知する（ステップＢ１１）。
【００５１】
通信帯域管理サーバ２０は、先に付与した優先度ポイント（既に保有していた優先度ポイントも含む）の譲渡が加入者端末１０より通知されたため、当該加入者に対して先に付与した優先度ポイントを削除する（ステップＢ１２）。続いて通信帯域管理サーバ２０は、譲渡された優先度ポイントを、優先度取引サーバ５０へ送信する（ステップＢ１３）。
【００５２】
優先度取引サーバ５０は、通信帯域管理サーバ２０より受信した優先度ポイントをサーバ上に上場し（ステップＢ１４）、優先度取引サーバ５０へ登録している加入者端末に向け、上場の通知を行う（ステップＢ１５）。
【００５３】
優先度取引サーバ５０より優先度上場の通知を受けた加入者端末（ここでは加入者端末６０として１台のみを示す）は、上場された優先度ポイントを取得したい場合その旨を申告する（ステップＢ１６）。
【００５４】
優先度取引サーバ５０は、例えば先着順により、取得を希望してきた複数の加入者端末の中から１つを選んで、上場された優先度ポイントを落札する加入者端末を決定し、決定した加入者端末６０に対し、優先度ポイントを落札した旨を通知する（ステップＢ１７）。優先度取引サーバ５０はまた、優先度ポイント情報を一致させるため、通信帯域管理サーバ２０にも加入者端末６０が優先度ポイントを取得したことを通知する（ステップＢ１８）。
【００５５】
通信帯域管理サーバ２０は、管理している加入者端末６０の優先度ポイント情報に、落札した優先度ポイントを加算する（ステップＢ１９）。通信帯域管理サーバ２０はまた、ステップＢ１９で加算した優先度ポイント情報を加入者端末６０へ通知する（ステップＢ２０）。この通知を受けた加入者端末６０は、ディスプレイに表示された、優先度ポイント情報の落札と加算された優先度ポイント情報により自分が優先度ポイントを落札したことを知る。
【００５６】
なお、ステップＢ１０において加入者が優先度ポイントの譲渡を選択した場合には、通信帯域管理サーバ２０は、ステップＢ５において計算した通信帯域を移動通信網４０に送信する。移動通信網４０は受信した通信帯域に基づいて通信帯域割り当てを実施する。ステップＢ５において、計算された通信帯域が、契約した通信帯域を一定しきい値以上下回っていない場合にも、通信帯域管理サーバ２０は優先度ポイントを生成せずに、計算された通信帯域を移動通信網４０に送信する。以後の動作は、第１の実施形態で説明した通りである。
【００５７】
本発明の第２の実施形態によれば、第１の実施形態による前述した効果に加えて、加入者間で優先度ポイントの取引を行える場が提供されるので、他の加入者への優先度ポイント譲渡が可能になる。
【図面の簡単な説明】
【００５８】
【図１】図１は、本発明による移動通信システムの第１の実施形態を示す構成図である。
【図２】図２は、図１の移動通信システムにより実現される通信帯域優先制御の動作を説明するフローチャートである。
【図３】図３は、本発明による移動通信システムの第２の実施形態を示す構成図である。
【図４】図４は、図３の移動通信システムにより実現される優先度ポイント譲渡のための動作を説明するフローチャートである。
【符号の説明】
【００５９】
１０    加入者端末
１１    ＧＰＳ装置
２０    通信帯域管理サーバ
３０    移動通信網監視装置
４０    移動通信網
５０    優先度取引サーバ
【図１】
2008244923.tif 000003
【図２】
2008244923.tif 000004
【図３】
2008244923.tif 000005
【図４】
2008244923.tif 000006